(57)【要約】【課題】  ＰＴカメラを天井や壁に埋め込み設置する場合に、電装部の発熱の効果的な放熱を妨げることなく、且つドーム内に異物の進入を防止する壁面取り付監視カメラシステムを、簡易な構成で実現する。【解決手段】  ＰＴカメラを天井へ固定する固定具が密閉構造と成らないように構成する。更にドーム開口端全周と接続する筒状のケーシングを、発熱の大きな電装部が内蔵されるＰＴカメラの基台部まで延長して、このケーシングの片方の開口部全周がＰＴカメラ基台部の一部と接続して密閉状態と成るように構成する。これにより、ドーム内への異物侵入を防止すると同時に、発熱の大きな電装部が内蔵されるＰＴカメラの基台部の大部分が壁裏の開放空間中に露出することで、空気対流放熱による効果的な放熱が可能となる。【選択図】  図１
2010081545.tif 000002
【特許請求の範囲】
【請求項１】
電装部を内蔵する基台部及び、該基台部上でカメラヘッドを積載して回転する回転部を有する監視カメラと、
該基台部を保持して該監視カメラを壁体の所定設置部に固定する固定部材と、
球面状に成形されて少なくとも一部は透明と成っているドームと、
該ドーム開口部全周に接続して且つ前記基台部に接続する筒状接続部材を有し、
前記回転部に積載された部分の少なくとも一部を前記ドームの内側に配置する様に構成した壁面取り付監視カメラシステム。
【請求項２】
前記筒状接続部材は前記基台部の一部分を収納することを特徴とする請求項１に記載の壁面取り付監視カメラシステム。
【請求項３】
前記接続部材と前記基台部の接続部を密閉構造としたことを特徴とする請求項１に記載の壁面取り付監視カメラシステム。
【請求項４】
前記接続部材と前記基台部の間に弾性を有するシール部材を構成したことを特徴とする請求項３に記載の壁面取り付監視カメラシステム。
【請求項５】
前記固定部材は前記基台部を固定する基台固定部と、
該固定部より延長されて前記所定設置部に固定される設置固定部により構成されることを特徴とする請求項１に記載の壁面取り付監視カメラシステム。
【請求項６】
前記基台固定部と前記設置固定部は平面で構成されることを特徴とする請求項５に記載の壁面取り付監視カメラシステム。
【請求項７】
前記筒状接続部材をその長手方向へ移動させる移動手段及び、前記筒状接続部材を任意の位置で固定する固定手段を有することを特徴とする請求項１に記載の壁面取り付監視カメラシステム。
【請求項８】
監視カメラを収納し、
球面状に成形されて少なくとも一部は透明と成っているドームと、
該ドーム開口部全周に接続して且つ前記監視カメラの一部に接続する筒状接続部材を有することを特徴とする監視カメラ収納ケース。
【請求項９】
前記筒状接続部材をその長手方向へ移動させる移動手段及び、前記筒状接続部材を任意の位置で固定する固定手段を有することを特徴とする請求項８に記載の監視カメラ収納ケース。
【発明の詳細な説明】
【技術分野】
【０００１】
本発明は、セキュリティ用途で設置されながらも被写対象者に対しての不快感や威圧感を軽減する為に天井や壁面などに埋め込み設置される所謂監視カメラと、そのカメラ収納ケースに関する。
【背景技術】
【０００２】
監視カメラは犯罪者に対する威嚇効果を期待してその存在をアピールする様に設置されることが一般的である。しかし、近年は個人情報保護や肖像権等の意識が社会的に高まり、監視カメラの存在に不快感や威圧感を感じる風潮と成ってきた。
【０００３】
この様な社会的要請に応えるため、監視カメラの大部分を天井や壁面（以下、天井及び壁面を総称して壁面と表記）などに埋め込み、透明部分のあるドームケースのみを撮影の為に露出させるタイプの監視カメラが使用されている。
【０００４】
一方、壁面内への設置を行う場合にやっかいな問題として、設置後に壁面内側のゴミや虫類などの異物がドーム内に侵入してドームの視野性を毀損する事である。この対策としてドーム内と壁面内空間とを遮蔽する必要がある。
【０００５】
これらの問題に対処した事例として、特許文献１に開示されている。これは所謂ドームカメラと呼ばれるカメラ機器のケーシング自体が密閉型ドームケースとして構成されて完成された監視カメラを予め壁面に固定設置された壁面埋め込み装置に固定するものである。
【０００６】
また、（株）エーエスシーからは、壁面内固定具を兼用した密閉容器内に監視カメラを固定して密閉容器を壁面内へ収納し固定した後に透明ドームを被せて密閉する構造のものが発売となっている。
【特許文献１】特開２０００−１６５７３２号公報
【発明の開示】
【発明が解決しようとする課題】
【０００７】
遠隔操作でカメラをパンニング（水平旋回）やチルティング（俯仰旋回）をさせ簡単に撮影範囲を変更できるパン・チルトカメラ（以下ＰＴカメラ）は、その使い勝手の良さや汎用性の高さから、監視用途だけでなく、ＴＶ会議などのオフィス用途や個人的なホビー用途などにも広く使用されている。この為ＰＴカメラには機能性だけでなく、優秀なデザイン性を求められることとなっている。所謂ドームカメラ等には一体でドームが構成されている為に、デザイン的な自由度は期待できない。
【０００８】
また、同軸ケーブルを使用したアナログ画像配信から、ネットワークを利用したデジタル画像配信への急速な切り替わりが進んでいる。これに伴って撮影画像の高精細化や高フレームレートの画像送出の社会的要請が大きくなりつつある。更には、従来のアナログ同軸電源重畳システムの置き換えとして、ネットワークと電源の供給を重畳した所謂ＰｏＥ（Ｐｏｗｅｒ  ｏｖｅｒ  Ｅｔｈｅｒｎｅｔ（登録商標））の受電機能（電源機能）を内蔵する要請も高まりつつある。この様な背景からＰＴカメラの電装部負荷の増加による発熱は大きく増加することと成ってきた。そのため機器の機能を守るために、この熱の効果的な放熱が重要なテーマとなっている。
【０００９】
上記の様なＰＴカメラを壁面内への設置するには、所謂ドームカメラと同じ様な構成を取ることは不可能である。
【００１０】
また、設置後の壁面内側の異物のドーム内への侵入を考慮すると、ドームをフタとする密閉容器内へＰＴカメラを入れて設置することが一見良い様にみえる。しかし、閉じられた狭い空間内で、密閉容器とＰＴカメラの間に熱空気層が形成されてしまい、ＰＴカメラからの放熱が大きく阻害されることとなる。容器にファン機構などを設ける事も考えられるが、構造が複雑化することで高価に成るばかりでなく、カメラ部分以外にも余計な保守を必要とする要因を作り出すこととなる。更にファン機構を稼働するための常時電力が余計に必要ととなってしまう。
【００１１】
この様にＰＴカメラの壁面内設置に関して、ドーム内への異物侵入防止と、効果的な放熱を簡便に両立させる方策が無かった。
【課題を解決するための手段】
【００１２】
上記課題を解決するために、本発明に係る壁面取り付監視カメラシステムにおいては、ＰＴカメラを天井へ固定する固定具が密閉構造と成らないように構成する。更にドーム開口端全周と接続する筒状のケーシングを、発熱の大きな電装部が内蔵されるＰＴカメラの基台部まで延長して、このケーシングの片方の開口部全周がＰＴカメラ基台部の一部分のみと接続して密閉状態と成るように構成する。これにより、ドーム内への異物侵入を防止すると同時に、発熱の大きな電装部が内蔵されるＰＴカメラの基台部の大部分が壁裏側の開放空間中に露出することで、空気対流放熱による効果的な放熱が可能となる。また、固定具を熱伝導性及び熱放射性の高い材質で構成することで、放熱板としての作用と、天井への熱伝導を効果的に行う導熱板として使用する。
【発明の効果】
【００１３】
以上、本発明によれば汎用性の高いＰＴカメラを天井や壁に埋め込み設置する場合に、電装部の発熱の効果的な放熱を妨げることなく、且つドーム内に異物の進入を防止する壁面取り付監視カメラシステムを、簡易な構成で実現可能である。
【発明を実施するための最良の形態】
【００１４】
次に、本発明の詳細を実施例の記述に従って説明する。
【実施例１】
【００１５】
図１は、本件壁面取り付監視カメラシステムの断面図である。天井１１は下側が表面で上側が裏側（内部）である。
【００１６】
ＰＴカメラ１は、基台部２、基台部上に設置された回転機構部３、カメラヘッド４、基台部に内蔵された図示しない電装部５より成っている。基台部２に設けられた外部インターフェース６へ、外部よりインターフェースケーブル７が接続している。
【００１７】
基台部２は固定部材８へ図示しないネジで固定されており、天井１１の開口部１２より天井内側に入っている。固定部材フランジ部９は天井１１の開口部１２より天井１１の表面側に出て天井１１に対してネジ１３で固定される。固定部材８は図２に示される様な形状で容器型構造をしていない。ネジ用穴２０から基台部２に対してネジ固定を行う。またネジ用穴２１から天井１１に対してネジ固定を行う。
【００１８】
カメラヘッド４はドーム１４と干渉しない様に俯仰回転を行える。ドーム１４とハウジング１５はネジ接合やはめ込み、接着などで結合している。ハウジング１５はスカート部１６と筒状部１７より成っている。スカート部１６の開口部内側の突出部または溝部１８と、固定部材フランジ部９の端に設けられた爪部１０が噛み合ってハウジング１５が固定される。
【００１９】
この状態で、筒状部１７の長さは筒状部１７の開口端の全周が基台部２の下面２２近傍まで至る様に寸法が調整されており、筒状部１７の開口端を基台部２の下面２２をゴムパッキンや液体シールなどの簡易なシール部材１９を介して接続すればドーム内部は密閉状態となる。尚、回転機構部３の動作を妨げない位置であれば、筒状部１７の開口部の形状は問われることは無い。
【００２０】
この様な取り付け状態では、電装部５を内蔵する基台部２の大部分が天井１１の裏側の開放空間中に露出していることになり、電装部５が発生する熱を開放空間中へ対流放熱が可能となっている。
【００２１】
なお、設置環境の清浄状態に因っては、筒状部１７の開口端と基台部２の下面２２の間にシール部材１９を用いず互いの寸法を精密に設定しての２面間の接触のみによる接続でも実用可能である。
【実施例２】
【００２２】
図３に示される実施例は、実施例１において図１で開示した例に対して、基台部２の外形寸法がハウジング１５の筒状部１７の内形寸法よりも小さく成っている場合である。
【００２３】
筒状部１７の長さが筒状部１７の開口部が基台部２の側面２３にオーバーラップする様に寸法が設定されている。筒状部１７の開口部内面と基台部２の側面２３をゴムパッキンや液体シールなどの簡易なシール部材１９介して接続すれば、ドーム内部は密閉状態となる。
【００２４】
なお、この場合、筒状部１７の開口部は基台部２の外径形状と相似形を有する必要がある。
【００２５】
図４は、本実施例の概念図の描画である。天井１１に固定具８によってＰＴカメラ１が取り付けられている。基台２上には回転機構３とカメラヘッド４が設置されている。ドーム４とハウジング１５は接続しており、ハウジング１５は固定具８に固定されている。図５は図４を反対方向より見たもので天井１１の裏面からの視線である。ハウジング１５の筒状部１７が基台部２の側面とオーバーラップしている。また、基台部２は天井裏面空間に開放状態で置かれていることが分かる。なお、基台部２に設けられたインターフェース６と外部とインターフェースケーブル７、及び基台部２と固定具８との接続ネジの描写は省略してある。実施例１の設置状態もこの描画の状態に準じている。
【００２６】
なお、設置環境の清浄状態に因っては、筒状部１７の開口部内面と基台部２の側面２３との互いの寸法を精密に設定しての２面間の接触のみによる接続でも実用可能である。
【実施例３】
【００２７】
図６は、図１におけるハウジング１５を、筒状部品３０とスカート部品３１に分離したものである。
【００２８】
ドーム１４に筒状部品３０が結合し、筒状部品３０に対してスカート部品３１が結合している。スカート部品３１は固定具８に固定されている。その他の構成は実施例１に準じる。
【００２９】
基台部２の位置の変化に対して、ハウジング１５の全てを変更しなくても筒状部品３０の変更のみで対応が出来る。
【実施例４】
【００３０】
図７は、実施例３における図６のドーム１４と筒状部品３０とスカート部品３１の結合方法を変更した結合部分の詳細である。
【００３１】
ドーム１４とスカート部品３１が結合し、スカート部品３１と筒状部品３０が所定の長さを有するネジ３２で結合している。筒状部品３０はスカート部品３１に対して長手方向に移動可能となる。必要量の移動後に接着や図示しない外部からの止めネジを用いて固定をすれば筒状部品の長さを任意の調整可能である。この構成によれば基台部２の位置の変化に対して、筒状部品３０の位置変更のみで対応が出来る。
【００３２】
なお、ネジ部３２はインローの構造を用いても良い。
【実施例５】
【００３３】
図８から図１１に筒状部材１７と基台部２の接続にシール部材１９を用いない構成の例を示す。
【００３４】
図８は実施例１の構成に基台部２の下面２２上に溝４０を設け、そこに筒状部材１７をはめ込む。
【００３５】
図９は基台部２の下面２２から側面２３にかけての段を形成し、筒状部材１７にも合わせ形状を形成する。
【００３６】
図１０は基台部２の下面２２上に溝４１を設け、筒状部材１７に溝４２を設ける。溝４１に筒状部材１７の内側をはめ込み、外周部を側面２３へオーバーラップさせる。
【００３７】
図１１は基台部２の側面２３に溝４３を設け、筒状部材１７の内側に形成された緩やかな曲面で形成された突起部４４をはめあわせる。
【図面の簡単な説明】
【００３８】
【図１】ハウジング一体型筒状部ＰＴカメラ基台部下面接続の説明
【図２】固定具の説明
【図３】ハウジング一体型筒状部ＰＴカメラ基台部側面接続の説明
【図４】図３の概念図描画
【図５】図４裏面方向描画
【図６】ハウジングスカート、筒状部品別部品化の説明
【図７】：筒状部品の位置調整機能の説明
【図８】シール部材を使わない接続構造説明その１
【図９】：シール部材を使わない接続構造説明その２
【図１０】：シール部材を使わない接続構造説明その３
【図１１】：シール部材を使わない接続構造説明その４
【図１】
2010081545.tif 000003
【図２】
2010081545.tif 000004
【図３】
2010081545.tif 000005
【図４】
2010081545.tif 000006
【図５】
2010081545.tif 000007
【図６】
2010081545.tif 000008
【図７】
2010081545.tif 000009
【図８】
2010081545.tif 000010
【図９】
2010081545.tif 000011
【図１０】
2010081545.tif 000012
【図１１】
2010081545.tif 000013